(57)【要約】第１のダイナミック・ホスト・コンフィギュレーション・プロトコル装置において、クライアントへのＩＰアドレスの割り当てを要求するメッセージを受信し、第２のダイナミック・ホスト・コンフィギュレーション・プロトコル装置が要求されたＩＰアドレスリースを含んでない場合は、要求を出したクライアントへ比較的短いリース時間を割り当てる、ダイナミック・ホスト・コンフィギュレーション・プロトコルのリース時間決定を行う方法及び装置である。
2005517354.tif 000002
【特許請求の範囲】
【請求項１】
第１のダイナミック・ホスト・コンフィギュレーション・プロトコル（ＤＨＣＰ）装置において、クライアントへのＩＰアドレスの割り当てを要求するメッセージを受信する段階と、
第２のＤＨＣＰ装置が前記要求されたＩＰアドレスの割り当てを得ていない場合は、前記要求を出したクライアントに時間期間Ｔよりも短いリース時間を割り当てる段階とを有する、方法。
【請求項２】
前記第２のＤＨＣＰ装置が前記要求されたＩＰアドレスの割り当てを得ている場合は、前記要求を出したクライアントに時間期間Ｔよりも長いリース時間を割り当てる段階を更に有する、請求項１記載の方法。
【請求項３】
前記時間期間Ｔは、１万秒よりも長い、請求項２記載の方法。
【請求項４】
前記時間期間Ｔは、１万秒よりも短い、請求項１記載の方法。
【請求項５】
前記第１のＤＨＣＰ装置はＤＨＣＰサーバを含む、請求項１記載の方法。
【請求項６】
前記第２のＤＨＣＰ装置はＤＨＣＰクライアントを含む、請求項１記載の方法。
【請求項７】
前記メッセージはＤＨＣＰリース要求である、請求項１記載の方法。
【請求項８】
前記ＩＰアドレスリースは、前記要求されたＩＰアドレスに関連するドメイン・ネーム・サーバ（ＤＮＳ）ＩＰアドレス及びドメイン名を更に有する、請求項７記載の方法。
【請求項９】
クライアントからメッセージを受信し、前記メッセージに応じて前記クライアントへリース時間を発行し、前記メッセージはクライアントへのＩＰアドレスの割り当てを要求する、第１のＤＨＣＰ装置と、
前記要求されたＩＰアドレスに関連する広域網からＩＰアドレスリースを受信する第２のＤＨＣＰ装置と、
通信パラメータ及び命令を格納するメモリと、
前記命令を実行するときに、
前記第１のＤＨＣＰ装置において、クライアントへのＩＰアドレスの割り当てを要求するメッセージを受信し、
前記第２のＤＨＣＰ装置が前記要求されたＩＰアドレスリースの割り当てを得ていない場合は、時間期間Ｔよりも少ないリース時間を前記クライアントに割り当てるよう構成されるプロセッサとを有する、装置。
【請求項１０】
前記第１のＤＨＣＰ装置はＤＨＣＰサーバを含む、請求項９記載の装置。
【請求項１１】
前記第２のＤＨＣＰ装置はＤＨＣＰクライアントを含む、請求項９記載の装置。
【請求項１２】
前記装置は、エッジ・ネットワーキング装置に組み込まれる、請求項９記載の装置。
【請求項１３】
前記エッジ・ネットワーキング装置はケーブルモデムである、請求項１２記載の装置。
【請求項１４】
前記エッジ・ネットワーキング装置はルータである、請求項１２記載の装置。
【請求項１５】
一組の命令を格納するコンピュータ読み取り可能な媒体であって、
前記一組の命令がプロセッサによって実行されると、
第１のダイナミック・ホスト・コンフィギュレーション・プロトコル（ＤＨＣＰ）装置において、クライアントへのＩＰアドレスの割り当てを要求するメッセージを受信する段階と、
第２のＤＣＨＰ装置が前記要求されたＩＰアドレスの割り当てを得ていない場合は、前記要求を出したクライアントに時間期間Ｔよりも短いリース時間を割り当てる段階とを有する方法を実行する、コンピュータ読み取り可能な媒体。
【請求項１６】
第１のダイナミック・ホスト・コンフィギュレーション・プロトコル（ＤＨＣＰ）装置において、クライアントへのＩＰアドレスの割り当てを要求するメッセージを受信する手段と、
第２のＤＣＨＰ装置が前記要求されたＩＰアドレスの割り当てを得ていない場合は、前記要求を出したクライアントに時間期間Ｔよりも短いリース時間を割り当てる手段とを有する装置。
【発明の詳細な説明】
【技術分野】
【０００１】
本発明はデータネットワークの分野に係り、特にデータネットワークにおけるダイナミック・ホスト・コンフィギュレーション・プロトコル（ＤＨＣＰ）リースに関連する。
【背景技術】
【０００２】
インターネットは、オーディオ、ビデオ、グラフィックス、及びテキストを含むマルチメディア・コンテンツを提供し、これらはダウンロード及び見るのにしばしば広い帯域幅を必要とする。多くのインターネット・サービス・プロバイダ（「ＩＳＰ」）は、１４４００ｂｐｓ，２８８００ｂｐｓ，３３６００ｂｐｓ及び５６０００ｂｐｓを含む様々なデータレートで公衆交換電話網（ＰＳＴＮ）から電話回線を通じて顧客がインターネットに接続することを可能とする。
【０００３】
一方で、ケーブルテレビジョン網は、一般的には、約１０メガ・ビット・毎秒（「Ｍｂｐｓ」）乃至３０＋Ｍｂｐｓのデータレートを有する同軸ケーブル又は光／同軸ハイブリッド（「ＨＦＣ」）ケーブルシステムといったケーブルによって一般的に相互接続される。これらのデータレートは、ＰＳＴＮ上で利用可能なデータレートよりもはるかに高い。インターネットの爆発的な成長に伴い、提供される帯域幅がより大きいため、ケーブルモデムによって与えられるようなブロードバンド接続を、多くのユーザが使用し始めている。
【０００４】
インターネット、サブネット、又はイントラネットといった典型的なネットワークでは、ダイナミック・ホスト・コンフィギュレーション・プロトコル（ＤＨＣＰ）がしばしば用いられる。ダイナミック・ホスト・コンフィギュレーション・プロトコル（ＤＨＣＰ）は、決められた時間期間（リース時間として知られている）に亘って、要求を出したクライアントにサーバがインターネット・プロトコル（ＩＰ）アドレスを割り当てる方法を決めるプロトコルである。ＩＰアドレスは、ネットワークに接続された他の装置と通信するためにクライアント構内機器（ＣＰＥ：Client Premises Equipment）装置によって用いられる。ＩＰアドレスを取得するためにＤＨＣＰを用いることの１つの利点は、ネットワーク装置にとって重要な他の設定情報が一回のメッセージ交換で取得されうることである。ＤＨＣＰプロトコルは、インターネット・エンジニアリング・タスク・フォース（ＩＥＴＦ：Internet Engineering Task Force）によって標準化されたインターネット標準追跡プロトコルであるRequest for Comments（「ＲＦＣ」）ＲＦＣ−２１３１及びＲＦＣ−２１３２で定義される。
【０００５】
ケーブルモデム又はルータといったエッジ・ネットワーク・システムは、しばしば、ＰＣ又は他のＣＰＥ装置に広域網（ＷＡＮ）から隔離されたサブネット上にあるＩＰアドレスを与えるために用いられる埋込ＤＨＣＰサーバを含む。これらのＣＰＥ装置は、それでも、しばしば、エッジ・ネットワーク・装置のＷＡＮ側の他の装置と情報を交換するためにＷＡＮアクセスを有する必要がある。１つの例は、ウェブページのダウンロードであり、この場合、ＣＰＥ装置はインターネット名をＩＰアドレスへと変換するためにドメイン・ネーム・サーバ（ＤＮＳ）に接触する。このように、埋込ＤＨＣＰサーバは、ＤＮＳ及び他のＷＡＮタイプの情報をＣＰＥ装置へ与える。
【０００６】
これらの埋込ＤＨＣＰサーバを有するエッジ・ネットワーク装置に加え、それらはＷＡＮサブネットに属するそれ自身のＩＰアドレスを取得するための埋込ＤＨＣＰクライアントもしばしば有する。ＤＨＣＰクライアントがＷＡＮ  ＩＰリースを取得するのに成功すると、クライアントはしばしば、ＤＮＳ  ＩＰといった埋込ＤＨＣＰサーバに関連のある情報を有する。
【発明の開示】
【発明が解決しようとする課題】
【０００７】
ＲＦＣ−２１３１及びＲＦＣ−２１３２で定義されるようなＤＨＣＰに関連する１つの欠点は、ＤＨＣＰサーバによっていったんリースが与えられると、サーバはクライアントが後にリースを再延長（renew）しようとするまでリースを取り戻し又は変更する機会がないことである。この後の時間は、ＤＨＣＰサーバのリース要求の肯定応答によって与えられるリース時間によって上限が決められており、遅延又は無活動状態を生じさせうる。例えば、ＤＨＣＰクライアントに対してＷＡＮサーバによってＤＨＣＰリースが付与されていなければ、ＤＨＣＰクライアントはＣＰＥによって要求される情報を有さず、ＤＨＣＰサーバによるＣＰＥへのリース付与は、要求されたデータがＤＨＣＰクライアント中に存在せず、転送されえないため、無効となる。
【課題を解決するための手段】
【０００８】
本発明は、無活動が最小限とされ、利用可能となると直ぐにＷＡＮタイプの情報がＣＰＥ装置に示されるよう、ダイナミック・ホスト・コンフィギュレーション・プロトコル（ＤＨＣＰ）リース時間の決定を行う方法及び装置に関する。
【０００９】
本発明の１つの実施例によるＤＨＣＰリース時間決定方法は、第１のダイナミック・ホスト・コンフィギュレーション・プロトコル（ＤＨＣＰ）装置において、クライアントへのＩＰアドレスの割り当て要求するメッセージを受信し、第２のＤＣＨＰ装置が要求されたＩＰアドレスリースを含まない場合は、要求を出したクライアントに比較的短いリース時間を割り当てる。
【００１０】
本発明の１つの実施例によるＤＨＣＰリース時間決定装置は、クライアントシステムからメッセージを受信し、メッセージに応じてクライアントシステムへリース時間を発行し、メッセージはＩＰアドレスの割り当てを要求する、第１のＤＨＣＰ装置と、要求されたＩＰアドレスに関連する広域網からＩＰアドレスリースを受信する第２のＤＨＣＰ装置と、通信パラメータ及び命令を格納するメモリと、プロセッサとを含む。プロセッサは、命令を実行するときに、第１のＤＨＣＰ装置において、クライアントへのＩＰアドレスの割り当てを要求するメッセージを受信し、第２のＤＨＣＰ装置が要求されたＩＰアドレスリース含んでいない場合は、比較的短いリース時間を要求を出したクライアントに割り当てるよう構成される。
【発明を実施するための最良の形態】
【００１１】
本発明が教示することについては、添付の図面とともに以下の詳細な説明を考慮することによって容易に理解されうる。理解を容易とするため、複数の図に共通の同一の要素を示すために、可能であれば、同一の参照番号が用いられている。
【００１２】
本発明について、コンピュータネットワーク及びインターネットに接続された関連する装置に関して説明する。しかしながら、当業者は、本発明は有利にはダイナミック・ホスト・コンフィギュレーション・プロトコル（ＤＨＣＰ）を用いた任意の通信システムで有利に使用されうる。従って、本願発明者は、本発明が本願に記載されたネットワークシステムを越えた広い適用可能性を有することを考えている。
【００１３】
図１は、本発明の典型的な実施例を含むネットワーク１００のハイレベル・ブロック図を示す。図１のネットワーク１００は、複数のコンピュータ構内機器（ＣＰＥ）装置（例示的には２つのパーソナルコンピュータ（ＰＣ））１１０1及び１１０2（集合的にはＰＣ１１０）、複数のエッジ・ネットワーク装置（例示的には複数のケーブルモデム（ＣＭ））１２０1乃至１２０N、ケーブルモデム終端システム（ＣＭＴＳ）１３０、並びに、インターネット１４０を含む。２つのＰＣ１１０はローカル・エリア・ネットワーク（ＬＡＮ）を構成し、インターネット１４０は広域網（ＷＡＮ）を構成する。ＷＡＮは更にＷＡＮ  ＤＨＣＰサーバ１５０を有する。更に、図１のＣＭ１２０1−１２０Nは、夫々のネットワーク・アドレス・変換器（ＮＡＴ）装置１２５1−１２５Nを有する。ＮＡＴ装置１２５1−１２５Nは、ＬＡＮとＷＡＮの間の通信のためのＩＰアドレス及び設定パラメータを与える。図１中、ＮＡＴ装置１２５1−１２５NはＣＭ１２０1−１２０Nに組み込まれているとして示されているが、当業者によれば、ＮＡＴ装置１２５1−１２５Nはルータといった他のエッジ・ネットワーク装置に組み込まれうることが認められるであろう。あるいは、ＮＡＴ装置１２５1−１２５NはＣＭ１２０1−１２０Nと協働する別個のユニットを含みうる。
【００１４】
上流への（アップストリーム）伝送中、ＬＡＮの中で（即ちＰＣ１１０により）ＤＨＣＰリース要求（ＩＰリース要求）が生成される。ＤＨＣＰリース要求は、夫々のＣＭ１２０へ通信される。ＣＭ１２０は、ケーブル転送（ＣＴ）網を通じてアップストリーム通信のためにＰＣ１１０からの信号を変調する。ＣＭ１２０はまた、特定のＬＡＮ装置（ＰＣ１１０）との通信のためにインターネット１４０によって関連付けられる識別子又は中継エージェントとして動作する。ＣＭ１２０のＮＡＴ装置１２５は、インターネット１４０へのアップストリーム通信用のインターネット・プロトコル（ＩＰ）アドレスを与える。ＮＡＴ装置１２５によって与えられるＩＰアドレスは、インターネット１４０との通信に必要な全ての関連のあるフィールド／パラメータを含む。パラメータのリストは、一般的には、ドメイン・ネーム・サーバ（ＤＮＳ）ＩＰアドレス及びドメイン名を含む。ＮＡＴ１２５の動作については、以下に詳述する。
【００１５】
ＣＭＴＳ１３０は、ＣＭ１２０から信号を受信し、これらの信号を（まだＩＰパケットへ変換されていないのであれば）ＩＰパケットへ変換し、これらはインターネット１４０を通じた伝送のためにＩＰルータ（図示せず）へ送信される。
【００１６】
下流への（ダウンストリーム）伝送中、インターネット１４０からの情報はＣＭＴＳ１３０によって受信される。ＣＭＴＳ１３０は、ＣＴ網を通じた伝送のためのダウンストリーム信号を変調する。ＣＭ１２０は、ダウンストリーム信号を復調する。ＣＭ１２０内のＮＡＴ装置１２５は、要求を出したＰＣ１１０との通信用のＩＰアドレスを与える。ＮＡＴ装置１２５の動作について以下詳述する。
【００１７】
図２は、図１のインターネット網での使用に適したＮＡＴ装置の実施例を示すハイレベル・ブロック図である。図２のＮＡＴ装置１２５は、プロセッサ２１０と、アルゴリズム及び制御プログラムを記憶するメモリ２２０とを有する。プロセッサ２１０は、電源、クロック回路、キャッシュメモリ等の従来のサポート回路２３０、並びに、メモリ２２０中に記憶されたソフトウエアルーチンの実行を支援する回路と協働する。従って、本願でソフトウエア処理として説明される処理段階のうちのいくつかは、例えば様々な段階を実行するためにプロセッサ２１０と協働する回路として、ハードウエア内で実施されうることが考えられる。ＮＡＴ装置１２５はまた、ＮＡＴ装置１２５と通信する様々な要素間のインタフェースをなす入力−出力回路２４０を含む。例えば、図１の実施例では、ＮＡＴ装置１２５は、信号路Ｓ１を介してＰＣ１１０と通信し、信号路Ｏ１を介してインターネット１４０と通信する。
【００１８】
図２のＮＡＴ装置１２５は、本発明の原理に従って様々な制御機能を実行するようプログラムされた汎用コンピュータとして示されているが、本発明は、例えば、特定用途向け集積回路（ＡＳＩＣ）としてハードウエア内に実施されうる。従って、本願に記載の処理段階は、ソフトウエア、ハードウエア、又はそれらの組み合わせによって等しく実行されるものであるとして広く解釈されることが意図される。
【００１９】
更に、図２のＮＡＴ装置１２５は、本発明による様々な制御機能を実行するようプログラムされた汎用コンピュータとして示されているが、ＮＡＴ装置１２５は、ソフトウエアとして、ＮＡＴ機能でアップグレードされるよう、ルータ又はケーブルモデムといった装置の既存のコンピュータへ組み込まれうる。
【００２０】
図３は、本発明の原理によるＮＡＴ装置１２５の典型的なネットワーク・アドレス変換処理を示すブロック図である。図３のＮＡＴ装置１２５は、ＬＡＮ側にＤＨＣＰサーバ３１０を、ＷＡＮ側にＤＨＣＰクライアント３２０を有する。ＤＨＣＰサーバ３１０及びＤＨＣＰクライアント３２０は、本質的には、ここに参照として組み込まれるインターネットＲＦＣ−２１３１及びＲＦＣ−２１３２で定義されるダイナミック・ホスト・コンフィギュレーション・プロトコル（ＤＨＣＰ）を実施するコンピュータプログラム又は他のファームウエア又はソフトウエアでありうる。
【００２１】
機能的には、ＤＨＣＰサーバ３１０は、ＷＡＮ側から隔離されたＬＡＮ側で利用可能なＩＰアドレスをＰＣ１１０に与える。同様に、ＤＨＣＰクライアント３２０は、インターネット１４０との通信用に、ＷＡＮ装置のＩＰアドレスを提供する。ＣＰＥ装置（即ちＰＣ１１０）、ＤＨＣＰサーバ（即ち、ＤＨＣＰサーバ３１０）、ＤＨＣＰクライアント（即ち、ＤＨＣＰクライアント３２０）は、ＤＨＣＰプロトコルを用いて通信する。ＤＨＣＰプロトコルは、所与のＩＰアドレスが割り当てられる時間の量のリース（即ち、クライアントＰＣ１１０がインターネット１４０から情報を受信するのに用いる時間の量）の概念を用いる。ＰＣ１１０からのＤＨＣＰリース要求がＤＨＣＰサーバ３１０へ通信されると、ＤＨＣＰサーバ３１０は、通信用のＩＰアドレスをＰＣ１１０に割り当て、ＰＣ１１０からＤＨＣＰリース要求を処理するためのリース時間を定める。更に、ＤＨＣＰクライアント３２０は、ＰＣ１１０によって要求される情報に対応するインターネット１４０からのＩＰアドレスについてのＤＨＣＰリース要求を発行する。ＷＡＮ側のＷＡＮ  ＤＨＣＰサーバ１５０は、ＤＨＣＰクライアント３２０へ適当なＩＰアドレスを戻し、ＰＣ１１０からＤＨＣＰ要求を処理するのに適した設定パラメータ（即ち、ＤＮＳ及びドメイン名パラメータ）が何であるかを学習するためにＤＨＣＰクライアント３２０へリース時間を発行する。図３のＮＡＴ１２５では、ＤＨＣＰサーバ３１０及びＤＨＣＰクライアント３２０は２つの別個の構成要素として示されているが、ＤＨＣＰサーバ３１０及びＤＨＣＰクライアント３２０は、ＤＨＣＰを実施するが２つの別個の構成要素として機能する単一のコンピュータ又は他のシステムを有しうる。
【００２２】
ＬＡＮ  ＣＰＥ装置（ＰＣ１１０）がＤＨＣＰサーバ３１０からリースを要求したのが、ＰＣ１１０へ転送されるべき関連のあるＤＮＳ  ＩＰ及びドメイン名パラメータがどれであるかを知るためにＷＡＮ側ＤＨＣＰクライアント３２０が自身のリースの取得に成功する前であるとき、ＤＨＣＰサーバ３１０から要求を出したＰＣ１１０へ付与される長いリース時間により、要求を出したＰＣ１１０にとって長い不活動期間が生ずる。即ち、ＷＡＮ側ＤＨＣＰクライアント３２０は要求を出したＬＡＮ  ＣＰＥ装置によって要求される適当な情報を取得していないため、要求を出したＬＡＮ  ＣＰＥ装置によって要求されるＷＡＮタイプの情報はＤＨＣＰサーバ３１０によって付与されるリース時間中はＤＨＣＰ３２０によって与えられることはできず、従って、付与されるリース時間は有効でなく、従って、無駄である。
【００２３】
本発明の１つの実施例では、ＤＨＣＰクライアント３２０がＷＡＮ  ＤＨＣＰサーバ１５０からリース付与を受け取る前に、ＤＨＣＰサーバ３１０が受信側ＰＣ１１０に長いリース時間を付与するという欠点を克服する方法は、ＷＡＮ側ＤＨＣＰクライアント３２０がそのＷＡＮリース時間を取得し、関連するＩＰ及び設定パラメータを含むまでは、ＤＨＣＰサーバ３１０が要求を出したＰＣ１１０へ比較的短いリース時間を付与することを含む。「短い」とは、長さが数十秒のオーダであるということであり、これに対して、従来のリース時間には通常は数万秒の長さがかかる。例えば、従来の長いリース時間は、一般的には１万秒よりも長く（即ち、１５０００秒）、本発明による比較的短いリース時間は１００秒よりも短い（即ち、１００秒）。しかしながら、この概念は広く適用可能であるため、比較的的短いリース時間は、任意の時間期間Ｔよりも短い任意のリース時間であると言い替えることができる。同様に、比較的長いリース時間は、任意の時間期間Ｔよりも長い任意のリース時間であると考えることができる。
【００２４】
ＣＭ１２０では、ＤＨＣＰサーバ３１０は、ＤＨＣＰクライアント３２０が有効なＩＰリースの取得に成功すると、ＤＨＣＰクライアント３２０はそれが取得するであろう一組のネットワーク情報と同じくらい完全なものを有している。従って、ＣＰＥ装置（ＰＣ１１０）からのリース要求時に、ＤＨＣＰサーバ３１０は、ＤＨＣＰクライアント３２０がそれ自体の有効なＩＰリースを有するかどうかを判定するために、ＤＨＣＰクライアント３２０に問合せを行う。ＤＨＣＰサーバ３１０が、ＤＨＣＰクライアント３２０が有効なリースを有していることを見つけると、要求を出したＰＣ１１０へより長いリース（数万秒又はそれ以上）を付与する。長いリース時間中、ＤＨＣＰサーバ３１０は、ＤＮＳ  ＩＰ及びドメイン名といった関連のある情報を、ＤＨＣＰクライアントがそのような情報をもっているのであれば、要求を出したＰＣ１１０へ転送する。ＤＨＣＰクライアントが有効なリースを取得するが、ＤＮＳ  ＩＰ又はドメイン名といったネットワーク情報がわかっていないとき、ＤＨＣＰサーバ３１０は、ＤＨＣＰクライアント３２０がそのようなパラメータを取得することがないと想定して、より長いリース時間で続ける。ＤＨＣＰクライアント３２０がＰＣ１１０からのＤＨＣＰリース要求のときに有効なＩＰリースを有していないとき、ＤＨＣＰサーバ３１０は短いリース時間で応答する。ＣＰＥ装置（ＰＣ１１０）は、それでも、それらのリースをしばしば再延長し、従って、ＤＨＣＰクライアント３２０がＷＡＮ  ＤＨＣＰサーバ１５０からそのリースを取得すると、当該のＷＡＮパラメータ及び情報は、すぐにＬＡＮ  ＤＨＣＰサーバ３１０へ転送される。
【００２５】
ＤＨＣＰサーバ３１０から要求を出したＰＣ１１０へ付与される比較的短いリース時間の結果として、ＰＣ１１０の不活動の期間は最小限とされる。更に、ＤＨＣＰサーバ３１０によって要求を出したＰＣ１１０に割り当てられる特定のＩＰアドレスの時間期間は利用不可能であり、やはり最小限とされる。即ち、ＩＰアドレスは、クライアント（ＰＣ１１０）によるリース肯定応答とリース再延長の間にクライアントによって所有されるため、短いリース時間の結果として、割り当てられたＩＰに対する利用不可能な期間は短くなる。
【００２６】
図４は、本発明の方法の実施例を示すフロー図である。方法４００は、ＣＰＥ装置からのＤＨＣＰリース要求がＤＨＣＰサーバによって受信されたときにステップ４０２から始まる。ステップ４０４において、ＤＨＣＰサーバは、対応するＤＨＣＰクライアントがそれ自身のＷＡＮ  ＩＰリースを受信したか否かを判定する。ＤＨＣＰクライアントがそれ自身のＷＡＮ  ＩＰリースを受信していれば、方法４００はステップ４０６へ進み、ＤＨＣＰクライアントがそれ自身のＷＡＮ  ＩＰリースを受信していなければ、方法４００はステップ４０８へ進む。
【００２７】
ステップ４０６において、ＤＨＣＰサーバは、要求を出したＣＰＥ装置に比較的長いリース時間を与え、要求を出したＣＰＥ装置にＤＮＳ  ＩＰといった要求されたＷＡＮパラメータを渡す。即ち、ＤＨＣＰサーバは、ＤＨＣＰクライアントが有効なＩＰリースを取得したとき、ＤＨＣＰクライアントが取得するであろう一組のネットワーク情報と同じだけ完全なものを有するであろうと想定する。従って、ＤＨＣＰサーバは、要求を出したＣＰＥ装置に比較的長いリース時間を与え、要求を出したＣＰＥ装置へＤＮＳ  ＩＰといった要求されたＷＡＮパラメータを渡す。次に、方法４００を終了し、ＤＨＣＰサーバは、ＣＰＥ装置からの他のＤＨＣＰリース要求を待つ。
【００２８】
ステップ４０８において、ＤＨＣＰサーバは、要求を出したＣＰＥ装置へ比較的短いリース時間を与える。即ち、ＤＨＣＰクライアントがＣＰＥからのＤＨＣＰリース要求のときに有効なＩＰリースを有していない場合、ＤＨＣＰサーバは、要求を出したＣＰＥへ短いリース時間を付与して応答する。ＣＰＥ装置（ＰＣ）は、それでも、自分のリースをしばしば再延長し、従って、ＤＨＣＰクライアントがそのリースをＷＡＮ  ＤＨＣＰサーバから取得したとき、当該のＷＡＮパラメータ及び情報は、すぐにＤＨＣＰサーバへ転送され、続いて要求を出したＣＰＥへ転送される。次に、方法４００を終了し、ＤＨＣＰサーバはＣＰＥ装置からの他のＤＨＣＰリース要求を待つ。
【００２９】
上述のことは本発明の幾つかの実施例に関するものであるが、本発明の他の及び更なる実施例は、本発明の基本的な範囲を逸脱することなく考えられうる。従って、本発明の適当な範囲は、添付の特許請求の範囲によって決定される。
【００３０】
［関連出願への相互参照］
本発明は、ここに全体として組み入れられる２００２年２月６日出願の米国仮特許出願第６０／３５５，６６５号に基づいて優先権を主張する。
【図面の簡単な説明】
【００３１】
【図１】本発明の実施例を含む、インターネット網のハイレベル・ブロック図である。
【図２】図１のインターネット網において用いられるのに適したＮＡＴ装置の実施例を示すハイレベル・ブロック図である。
【図３】本発明の原理による図１及び図２のＮＡＴ装置のネットワークアドレス変換処理を示すブロック図である。
【図４】本発明の原理による典型的な方法を示すフロー図である。
【図１】
2005517354.tif 000003
【図２】
2005517354.tif 000004
【図３】
2005517354.tif 000005
【図４】
2005517354.tif 000006
【国際調査報告】
2005517354.tif 000007
2005517354.tif 000008